(57)【要約】【課題】  Ｘ線診断装置用操作パネルを操作する際に、操作性を犠牲にすることなく、誤操作を防ぐことが出来る。【解決手段】  操作パネル１０のオペレータの立ち位置側の前面に、透過型ビームセンサ１１が設けられ、透過型ビーム投光器１２によって投光された透過型ビームを、透過型ビーム受光器１３によって受光が検知されているのか、または、ラバー製の筒１４によって透過型ビームが遮られているのかによって、操作信号をＯＮまたはＯＦＦにするという制御を行う制御部１５がＸ線診断装置に備えられている【選択図】  図２
2008036007.tif 000002
【特許請求の範囲】
【請求項１】
Ｘ線を被検体に照射することで被検体の透視画像を得るＸ線診断装置と、
前記Ｘ線診断装置の各部を操作する操作部と、
前記操作部に設置された透過型ビームを投光する透過型ビーム投光器と、
前記操作部の前記透過型ビーム投光器と対向する位置に設置された、前記透過型ビームを受光する透過型ビーム受光器と、
前記透過型ビーム受光器の受光の有無に応じて操作信号を制御する制御部と、
を備えたことを特徴とするＸ線診断装置用操作パネル。
【請求項２】
前記透過型ビーム投光器及び前記透過型ビーム受光器は、前記操作部の術者の立ち位置側の両端に互いに対向するように設置されることを特徴とする請求項１記載のＸ線診断装置用操作パネル。
【請求項３】
前記透過型ビーム投光器から前記透過型ビーム受光器までの前記透過型ビームにカバーを被せることを特徴とする請求項１記載のＸ線診断装置用操作パネル。
【請求項４】
Ｘ線を被検体に照射することで被検体の透視画像を得るＸ線診断装置と、
前記操作部に備えられた形状の先端に丸みのある複数の操作手段とを備え、前記複数の操作手段のうち前記操作部に対して高さのある前記操作手段は、前記操作部からの高さが一定であることを特徴とするＸ線診断装置用操作パネル。
【請求項５】
前記複数の操作手段のうち前記操作部に対して高さのある前記操作手段は、その高さが２つの異なる高さで分けられることを特徴とする請求項４記載のＸ線診断装置用操作パネル。
【請求項６】
Ｘ線を被検体に照射することで被検体の透視画像を得るＸ線診断装置と、
前記X線診断装置の寝台に設けられた被検体を載置する天板と、
前記Ｘ線診断装置の各部を操作する操作部と、
前記天板に設けられ、前記操作部を着脱自在かつ移動自在にするレールと、
前記操作部に設けられ、前記レールに着脱自在かつ移動自在に装着する取り付け部と、
前記取り付け部に設けられ、前記レールヘの装着を検知する少なくとも１つのセンサスイッチと、を備えることを特徴とするＸ線診断装置用操作パネル。
【発明の詳細な説明】
【技術分野】
【０００１】
この発明は、Ｘ線診断装置に係り、特に、Ｘ線透視診断に用いられるＸ線診断装置用操作パネルに関する。
【背景技術】
【０００２】
Ｘ線透視診断に用いられるＸ線診断装置の天板レールに設置して使用する操作パネルは、Ｘ線透視診断を操作するための押しボタンやＸ線透視診断の操作内容を知らせるＬＥＤなどを配列したもの、または樹脂シートにエンボス加工などを行い、その下部に操作するスイッチを配設したシートキーパネル等から構成されている。
【０００３】
従来、このようなＸ線診断装置の操作パネル上の押しボタンは、高さがそれぞれ異なるように構成され、危険性が高い操作に関するボタンの高さを、他のボタンの高さよりも高くして注意を喚起したり逆に危険性が高い操作に関する押しボタンや誤動作や誤操作などを起こしやすい押しボタンの高さを、他のボタンの高さよりも低くして押しボタンを操作し難くしたりしている（例えば、特許文献１参照。）。
【特許文献１】特開２００２−３１５７４４号公報
【発明の開示】
【発明が解決しようとする課題】
【０００４】
しかしながら、特許文献１に記載されたＸ線透視診断装置の操作パネルでは、実際の診断では操作パネルに滅菌シートを被せるため、操作レバーやツマミの背丈によるメリハリによって、背丈の高いレバー同士から滅菌シートがテント状になり、背丈が高いノブとノブの間に実装されたノブの操作がし難い、また、目的のノブを操作すると、テントを張っているようになっているので、別のノブも傾いてしまうというような誤操作の問題が多くあった。
【０００５】
そこで本発明は、操作性を犠牲にすることなく、誤操作を防ぐことが出来るＸ線診断装置用操作パネルを提供することを目的とする。
【課題を解決するための手段】
【０００６】
上記目的を達成するために、本発明のＸ線診断装置用操作パネルは、Ｘ線を被検体に照射することで被検体の透視画像を得るＸ線診断装置と、前記Ｘ線診断装置の各部を操作する操作部と、前記操作部に設置された透過型ビーム投光器と、前記操作部の前記透過型ビーム投光器と対向する位置に設置された透過型ビーム受光器とを備えることを特徴とする。
【発明の効果】
【０００７】
本発明によれば、操作性を犠牲にすることなく、誤操作を防ぐことが出来る。
【発明を実施するための最良の形態】
【０００８】
以下に、本発明によるX線診断装置用操作パネルの実施例を図１乃至図８を参照して説明する。
【実施例１】
【０００９】
図１乃至図３を参照して、実施例１を説明する。
【００１０】
図１は、本発明に係るX線診断装置の全体図を示す。このX線診断装置は、被検体を載置する寝台１と、X線撮影を行う撮影装置２とを有している。そして、寝台１には、被検体を載置する天板３と、この天板３をその長手方向に沿って移動自在に支持する天板支持部４とから構成されている。なお、天板３は、X線の吸収が少なく、かつ強度の強い、例えば炭素繊維用度樹脂を材料として形成されている。また、天板支持部４は、昇降可能に構成されていると共に、天板３を移動させるための駆動モータなどを備えている。
【００１１】
一方、撮影装置２は、例えば略C字型に湾曲して形成された、アーム５を有し、アーム５の一方の端にはX線を照射するX線管６が設けられ、アーム５の他方の端にはX線を検出するX線検出器７が設けられており、これらは互いに対向するように支持されている。アーム５は、保持装置８によって湾曲面に沿って回動自在に保持されており、この保持装置８は、撮影装置本体に回転可能に支持されている。なお、撮影装置２は、床上に固定されるか、あるいは床上をレール９等に沿って寝台１方向へ接近または退避可能に据付けられている。あるいは、撮影装置２は、天井に沿って走行可能に天井部に設けられている場合もある。また、寝台１には天板３やアーム５などをオペレータが操作するための操作パネル１０が設けられている。
【００１２】
操作用パネル１０は、天板３のレールに設置し、オペレータが使用する。操作用パネル１０は、各種操作量を設定、入力するものである。この各種操作量は、例えば、X線管６へのX線発生条件、アーム５の動作の操作、Ｘ線検出器７を被検体に対して前後に移動する駆動部の操作、画像処理の条件などである。
【００１３】
図２は、実施例１に係る操作パネル１０を示す図である。操作パネル１０の使用者の立つ側に透過型ビームセンサ１１を備える。透過型ビームセンサ１１は、操作パネルの使用者が立つ側の片端に透過型ビーム投光器１２を備え、反対側の端に透過型ビーム受光器１３を備えている。操作パネル１０の両端に対に備えられた、透過型ビーム投光器１２と透過型ビーム受光器１３をラバー製の筒１４でつなぐ。
【００１４】
なお、透過型ビームが、透過型ビーム投光器１２によって投光され、透過型ビーム受光器１３によって受光が検知されているのか、または、ラバー製の筒１４によって透過型ビームが遮られているのかによって、操作信号をＯＮまたはＯＦＦにするという制御を行う制御部１５がＸ線診断装置に備えられている。
【００１５】
次に、実施例１の動作を図３を参照して説明する。まず、ステップＳ１としてＸ線診断装置本体の電源を入れる。次に、ステップＳ２にて装置電源のＯＮをトリガーとして、透過型ビーム投光器１２が、透過型ビーム受光器１３に対して透過型ビームの照射を開始する。そして、ステップＳ３にて、使用者がラバー製の筒１４を腹などで押してしまい触れてビームの受光が妨げられ、透過型ビーム受光器１３にビームが届かなくなった場合は、ステップＳ４として、受光できていないという情報が制御部１５に送られ、制御部１５が操作信号をＯＦＦにし、操作用パネル１０のツマミ／ノブ等の操作が無効となって、操作しても動きは起こらない。その後、ステップＳ５にて、ラバーから体を離すことによって透過型ビーム投光器１２により照射された透過型ビームが、透過型ビーム受光器１３によってうけられるようになると、操作信号がＯＮとなる。また、ステップＳ６において、透過型ビームの受光が行われている間は操作信号がＯＮとなり、操作パネル１０のツマミ／ノブ等を操作することによって、アーム５の角度位置の調整やＸ線検出器７の位置の微調整などを行うことが出来る。また、再びオペレータの体がラバー製の筒１４に触れ、透過型ビームの受光が遮断された場合、その情報が制御部１５に送られ、制御部１５が操作信号をＯＦＦにする。
【００１６】
なお、実施例１では、透過型ビームが遮られたときに操作信号をＯＦＦにすると説明したが、その逆で、透過型ビームが遮られたときに操作信号をＯＮにするようにしてもかまわない。
【００１７】
以上説明したように、本発明の実施例１においては、オペレータの腹部がラバー製の筒１４を押し込むことにより、操作信号がＯＦＦとなるため、オペレータが必要以上に操作パネル１０に近づくことを防ぐことが出来、オペレータの体で操作パネル１０上のノブ等を誤って操作することを防ぐことが出来る。また、透過型ビームセンサ１１は簡易な機構で実施することが可能であり、操作パネル１０の形を選ばずに、透過型ビームセンサ１１を後から装着することが可能である。
【００１８】
さらに、ラバー製の筒１４の位置はオペレータの立ち位置に対して、もっとも前面に設置されているので、操作パネル１０に滅菌シートを被せた上からでもラバー製の筒１４の位置を把握できる。また、滅菌シートの強さではラバー製の筒１４が凹むことは無く、オペレータの体が押すように接する時に初めて透過型ビームが遮断されるので、滅菌シートによって誤動作が起こることはない。
【００１９】
なお、透過型ビームが遮られた状態で操作信号をＯＮにする場合は、オペレータが近くにいない状態で、誤って操作パネルが動かされた場合でも、操作信号がＯＮになっていない状態では操作は無効になり、オペレータが側を離れなければならないときの不意の操作を防ぐことが出来る。
【実施例２】
【００２０】
図４及び図５を参照して、実施例２を説明する。
【００２１】
なお、実施例２に係るＸ線診断装置の全体構成は図１と同様であり、その構成及び動作については実施例１にて説明したのでここでは省略する。
【００２２】
実施例２の操作パネルの構成を、図４を参照して説明する。図４は、実施例２におけるＸ線診断装置用操作パネルの示す図である。操作パネル１０の操作ツマミ／ノブ等の形状が、丸みを帯びた円柱、四角、半円等の形状をしていることが特徴であり、特に、高さを変えるのではなく、幅や形状でそれぞれの操作ツマミ／ノブを判別できるようにする。さらに、高さのあるツマミ／ノブの高さを図５のツマミの高さＣのようにほぼ同じ構成にする。または、高さのあるツマミ／ノブの高さを図４のように２段階ツマミの高さＭおよび高さｍに分けて配置する。
【００２３】
オペレータは、手技に注力するために、視線は操作パネル１０ではなくほとんどの場合、カテーテル挿入などの手元及び透視画像が映し出されたモニタに向けられ、操作パネル１０上のツマミ／ノブの実装位置の確認は最小限しか行わない。そこで、使用頻度の高いものは丸みを帯びた円柱状の幅の大きめのツマミ／ノブにするのに対し、ＯＮ／ＯＦＦの切替えや等、単純な切替え操作しか行われないツマミ／ノブは、高さのほとんどない丸みを帯びた押し込み型のスイッチ等にし、使用頻度は少ないものの細かい作業を行うツマミ／ノブは、使用頻度の高いツマミ／ノブとほぼ高さの変わらない、丸みを帯びた半円状、四角等の形状にし、幅を変えることで目線をほとんど動かさずに、オペレータは手の感触で操作パネル上の必要なツマミ／ノブを操作することが出来る。
【００２４】
なお、操作パネル１０のツマミ／ノブ等は、使用頻度もしくは操作内容に応じて、操作パネル１０上にそれぞれ配置してある。例えば、アーム５の移動や傾き等を操作する動作操作部や寝台１の移動を操作をする寝台操作部、X線管６へのX線発生条件等を操作する条件操作部等、のようにそれぞれの動きによって分けて配置されていてもよい。また、最もよく使用するツマミ／ノブ等を操作パネル１０の中心に集中して配置させ、それに付随する機能を持つツマミ／ノブ等を周辺に配置し、使用頻度の少ないツマミ／ノブ等は使用頻度の高いものの操作の邪魔にならないように配置するようにしても良い。
【００２５】
以上説明したように、従来の操作パネルでは操作対象ごとにツマミ／ノブの形状が異なるために、背丈の凹凸によって滅菌シートを被せた時に、背の高いツマミ／ノブ同士の間でテントのようになってしまい、その間に設けられたツマミ／ノブが操作しがたかったが、本発明の実施例２においては、ツマミ／ノブの操作パネル１０上の高さをほぼ揃えることにより、滅菌シートがテント状になることを防ぐことが出来、また、それぞれのツマミ／ノブを同じように簡単に操作することが出来る。また、従来の操作パネルでは、背の高いツマミ／ノブが滅菌シートに引っかかることによって、別のツマミ／ノブを操作しているときに一緒に動いてしまうという懸念があったが、高さをほぼ同じにすることによって、シートが引っかかることを防ぐことが出来、誤動作を防ぐことができる。さらに、ツマミ／ノブの形状を丸みを帯びたものにすることにより、シートの引っ掛かりの発生をさらに抑えることが出来る。
【００２６】
また、ツマミ／ノブの高さを使用する頻度、または、シートの引っかかりを考慮して段階に分けて変えることによって、高さ違う複数のツマミ／ノブを使用する場合よりも、凹凸シートによる引っ掛かりを抑えることが出来る。
【００２７】
また、実施１と組み合わせて操作パネル１０に適用することにより、より誤操作・誤動作を引き起こす可能性を減らすことが出来、オペレータが手技に集中することが出来るようになる。
【実施例３】
【００２８】
図６乃至図８を参照して、実施例３を説明する。
【００２９】
なお、実施例３に係るＸ線診断装置の全体構成は図１と同様であり、その構成及び動作については実施例１にて説明したのでここでは省略する。
【００３０】
実施例３の操作パネルの構成を、図６を参照して説明する。図６は、操作パネル１０を天板３のレール３０へ取り外し可能に設置する場合に使用される取り付け部３１周辺の側面図である。天板３側には操作パネル１０を設置するためのレール３０等が設けられている。操作パネル１０側には、天板３に設けられたレール３０に操作パネル１０を取り付けるための取り付け部３１が設けられている。さらに、図７を参照して説明をする。図７（ａ）は、操作パネル１０がレール３０に取り付けられる前の状態である。取り付け部３１には、操作信号のＯＮ／ＯＦＦを切替えるセンサスイッチ３２が設けられている。さらに、図７（ｂ）は、レール３０に操作パネル１０が取り付けられた上体である。センサスイッチ３２は、レール３０に取り付け部３１がかみ合った状態の時には、かみ合ったレール３０によって押し込められるように配置されている。
【００３１】
実施例３の動作を図８を参照して説明する。まず、ステップＳ１１として操作パネル１０Ｘ線診断装置本体の電源を入れる。次に、操作パネル１０がレール３０に装着されたことで、天板３のレール３０へ連結するための取り付け部３１に備えられたセンサスイッチ３２が、レール３０によって押されているかどうかを制御部１５が判別する（ステップＳ１２）。ステップＳ３にて、センサスイッチ３２が正確に押されている場合は、操作信号がＯＮの状態になり、操作パネル１０の操作が有効になる。また、ステップＳ１４にて、センサスイッチ３２が押されていない場合には、操作信号はＯＦＦのままであり、ステップＳ１２に戻って操作パネル１０を正確にレール３０に連結させる。
【００３２】
なお、本実施例のセンサスイッチ３２はレール３０に連結されることによって押される１つのスイッチであるが、取り付け部３１に複数のセンサスイッチ３２を設けて、より正確に連結されているかどうかを判断できるようにしてもよい。また、操作パネル１０が連結ロックを解除して、レール３０上を移動している際は、センサスイッチ３２が押されていない状態と判断し、操作信号をＯＦＦにするようにしてもよい。
【００３３】
以上説明したように、本発明の実施例３では、操作パネル１０の取り付け部３１にセンサスイッチ３２を設けて、センサスイッチがＯＮの状態を操作信号のＯＮの状態とみなすため、操作パネル１０がレール３０に連結されていない場合は、ツマミ／ノブ等を誤って操作した場合でも操作信号はＯＦＦの状態なので、誤動作が引き起こされない。また、緊急を要する場合に、操作パネル１０をツマミ／ノブ側を下側に向けて天板３等に置いてしまった場合にも、天板３等によってツマミ／ノブが誤って操作されても操作信号はＯＦＦの状態にあるので、誤動作が引き起こされない。
【００３４】
また、センサスイッチ３２は取り付け部３１のレール３０に接触する奥側部分に備えられているため、誤ってセンサスイッチ３２がＯＮになることはない。また、緊急の処置の場合に、天板３のレール３０に操作パネル１０を装着しない状態で、手技を行いたい場合は、センサスイッチ３２がＯＦＦの状態で無くても入力による操作信号がＯＮになるように、切替えるためのスイッチを操作パネル１０もしくは、それ以外の場所に設けてもよい。そうすることにより、緊急処置でも慌ててレール３０に操作パネル１０を装着することなく、操作を行うことが出来る。
【００３５】
また、実施例１及び２と組み合わせて実施することにより、より誤操作・誤動作を防ぐことが出来、オペレータが手技に集中することが可能になる。
【００３６】
なお、本発明は上述した実施の形態に限定されるものではなく、その要旨を逸脱しない範囲で種々変形して実施することが可能である。
【図面の簡単な説明】
【００３７】
【図１】本発明の実施の形態に係るＸ線診断装置の構成を示す図。
【図２】本発明の実施例１に係るＸ線診断装置用操作パネルを示す図。
【図３】本発明の実施例１に係るＸ線診断装置用操作パネルの動作のフロー図。
【図４】本発明の実施例２に係るＸ線診断装置用操作パネルを示す図。
【図５】本発明の実施例２に係るＸ線診断装置用操作パネルのツマミの高さを示す図。
【図６】本発明の実施例３に係るＸ線診断装置用操作パネルを示す側面図。
【図７】本発明の実施例３に係るＸ線診断装置用操作パネルの構成を示す側面図。
【図８】本発明の実施例３に係るＸ線診断装置用操作パネルの動作のフロー図。
【符号の説明】
【００３８】
３    天板
１０    操作パネル
１２    透過型ビーム投光器
１３    透過型ビーム受光器
１４    ラバー製の筒
１５    制御部
３０    レール
３１    取り付け部
３２    センサスイッチ
【図１】
2008036007.tif 000003
【図２】
2008036007.tif 000004
【図３】
2008036007.tif 000005
【図４】
2008036007.tif 000006
【図５】
2008036007.tif 000007
【図６】
2008036007.tif 000008
【図７】
2008036007.tif 000009
【図８】
2008036007.tif 000010